(57)【要約】【課題】特殊効果システムを提供する。【解決手段】本実施形態によるシステムは、地上コントローラと、地上コントローラとの間で信号を送受信するように構成された通信回路を含む無人航空機とを含む。システムは、飛行計画を実行するように構成された車両コントローラと、少なくとも１つの特殊効果モジュールとを含むこともできる。システムは、地上コントローラからの活性化信号に応答して特殊効果を作動させるように構成された特殊効果モジュールコントローラを含むこともできる。【選択図】図７
2019195658.tif 000002
【特許請求の範囲】
【請求項１】
特殊効果システムであって、
地上コントローラと、
無人航空機と、
前記地上コントローラとの間で信号を送受信するように構成された、前記無人航空機の通信回路と、
飛行計画を実行するように構成された、前記無人航空機の車両コントローラと、
前記無人航空機の少なくとも１つの特殊効果モジュールと、
前記少なくとも１つの特殊効果モジュールの特殊効果モジュールコントローラと、を備え、
前記特殊効果モジュールコントローラは、前記特殊効果モジュールに対し、前記地上コントローラからの活性化信号に応答して前記特殊効果を作動させるように指示するよう構成される、特殊効果システム。
【請求項２】
前記少なくとも１つの特殊効果モジュール内に配置された特殊効果材料を備え、前記特殊効果モジュールコントローラは、前記地上コントローラからの前記活性化信号に応答して、前記特殊効果材料の放出を引き起こすように構成される、請求項１に記載の特殊効果システム。
【請求項３】
前記特殊効果材料は、煙効果流体を含む、請求項２に記載の特殊効果システム。
【請求項４】
前記特殊効果材料は、香り付き流体を含む、請求項２に記載の特殊効果システム。
【請求項５】
前記特殊効果材料は、グリッタ又は紙吹雪を含む、請求項２に記載の特殊効果システム。
【請求項６】
前記特殊効果材料は、水を含む、請求項２に記載の特殊効果システム。
【請求項７】
前記地上コントローラに前記活性化信号を前記無人航空機に対して送信させるようにするゲスト信号を前記地上コントローラに送信するように構成されたゲスト装置を備える、請求項１に記載の特殊効果システム。
【請求項８】
前記地上コントローラは、前記ゲスト装置との近接性に基づいて、無人航空機の集団から前記無人航空機を選択するように構成される、請求項７に記載の特殊効果システム。
【請求項９】
前記地上コントローラは、前記ゲスト装置に関連する関連装置との近接性に基づいて、無人航空機の集団から前記無人航空機を選択するように構成され、前記関連装置は、家族又はグループの関連性を通じて前記ゲスト装置に関連付けられる、請求項７に記載の特殊効果システム。
【請求項１０】
前記ゲスト装置は、前記ゲスト信号を無線で送信するように構成される、請求項７に記載の特殊効果システム。
【請求項１１】
前記地上コントローラは、前記特殊効果モジュール内の所望の特殊効果材料の存在に基づいて、無人航空機の集団から前記無人航空機を選択するように構成される、請求項１に記載の特殊効果システム。
【請求項１２】
前記地上コントローラは、以前のゲストの達成に基づいて前記所望の特殊効果材料を選択するように構成される、請求項１１に記載の特殊効果システム。
【請求項１３】
前記地上コントローラは、ゲストの許可又はゲストのステータスに基づいて前記所望の特殊効果材料を選択するように構成される、請求項１１に記載の特殊効果システム。
【請求項１４】
前記特殊効果モジュールは、前記特殊効果車両から離れて配向された、かつ特殊効果材料を供給するように構成されたノズル又は噴霧器を含む、請求項１に記載の特殊効果システム。
【請求項１５】
第２の特殊効果モジュールを備え、前記第１の特殊効果モジュールは第１の特殊効果材料を含み、前記第２の特殊効果モジュールは第２の特殊効果材料を含む、請求項１に記載の特殊効果システム。
【請求項１６】
前記第２の特殊効果材料は、前記活性化信号を介して前記第１の特殊効果材料と共に放出されるように構成される、請求項１５に記載の特殊効果システム。
【請求項１７】
前記第２の特殊効果材料は、前記第１の特殊効果材料が放出された旨の確認信号に応答して放出されるように構成される、請求項１５に記載の特殊効果システム。
【請求項１８】
前記少なくとも１つの特殊効果モジュールは、指向性スピーカを含み、前記特殊効果モジュールコントローラは、前記地上コントローラからの前記活性化信号に応答して、前記スピーカを作動させてオーディオ特殊効果をもたらすように構成される、請求項１に記載の特殊効果システム。
【請求項１９】
前記活性化信号は、前記特殊効果システムに、メモリに記憶されたオーディオファイルにアクセスさせる、請求項１７に記載の特殊効果システム。
【請求項２０】
前記活性化信号は、オーディオデータを含む、請求項１７に記載の特殊効果システム。
【請求項２１】
前記少なくとも１つの特殊効果モジュールはカメラを備え、前記特殊効果モジュールコントローラは、前記地上コントローラからの前記活性化信号に応答して、前記カメラを作動させて画像又は動画の一方又は両方を取り込むように構成される、請求項１に記載の特殊効果システム。
【請求項２２】
前記特殊効果モジュールコントローラは、前記特殊効果の作動に関するフィードバック信号を受け取るように構成される、請求項１に記載の特殊効果システム。
【請求項２３】
前記特殊効果が正しく作動しなかった場合、前記フィードバック信号は、エラー信号又はメンテナンス信号を含む、請求項２２に記載の特殊効果システム。
【請求項２４】
前記少なくとも１つの特殊効果モジュールは、前記無人航空機からオペレータによって取り外すことができる、請求項１に記載の特殊効果システム。
【請求項２５】
特殊効果システムであって、
地上コントローラと、
複数の無人航空機と、を備え、
前記複数の無人航空機は、
前記地上コントローラとの間で信号を送受信するように構成された通信回路と、
飛行計画を実行するように構成された車両コントローラと、
少なくとも１つの特殊効果モジュールと、をそれぞれ含み、
前記少なくとも１つの特殊効果モジュールは、
特殊効果材料と、
前記地上コントローラからの活性化信号に応答して、前記特殊効果材料の放出を引き起こすように構成された特殊効果モジュールコントローラと、を含み、
前記無人航空機のそれぞれの前記飛行計画は、互いに無関係であって、テーマパークショーの実行時間内に実行されるように構成され、
前記地上コントローラは、それぞれの前記無人航空機に対してそれぞれの活性化信号を生成して、前記テーマパークショーの前記実行時間中にそれぞれの特殊効果を作動させるように構成される、特殊効果システム。
【請求項２６】
前記地上コントローラは、テーマパークショーのライブ俳優又は大道具に対するそれぞれの無人航空機の位置情報を受け取り、前記飛行計画のそれぞれが正しく実行されたことが前記位置情報によって確認された場合、前記特殊効果材料を放出するように構成される、請求項２５に記載の特殊効果システム。
【請求項２７】
前記地上コントローラは、ライブ俳優が装着している装置から信号を受け取るように構成され、前記信号は、前記複数の無人航空機のうちの１つの無人航空機の前記特殊効果材料を放出する前記活性化信号を前記地上コントローラに生成させる、請求項２５に記載の特殊効果システム。
【請求項２８】
指向性スピーカを含む少なくとも１つの特殊効果モジュールを含む無人航空機を備える、請求項２５に記載の特殊効果システム。
【請求項２９】
前記指向性スピーカは、所定の時点でオーディオ特殊効果を再生するように作動する、請求項２５に記載の特殊効果システム。
【請求項３０】
特殊効果システムであって、
地上コントローラと、
複数の無人航空機と、を備え、
前記複数の無人航空機は、
前記地上コントローラとの間で信号を送受信するように構成された通信回路と、
飛行計画を実行するように構成された車両コントローラと、
少なくとも１つの特殊効果モジュールと、をそれぞれ含み、
前記少なくとも１つの特殊効果モジュールは、
特殊効果材料と、
前記地上コントローラからの放出信号に応答して、前記特殊効果材料の放出を引き起こすように構成された少なくとも１つの特殊効果モジュールコントローラと、を含み、  前記地上コントローラは、前記無人航空機のそれぞれを点検のために帰還させるそれぞれのメンテナンス信号を生成するように構成される、特殊効果システム。
【請求項３１】
前記地上コントローラに通信される内蔵センサからのデータに基づいて、個々の無人航空機のためのメンテナンス信号が生成される、請求項３０に記載の特殊効果システム。
【請求項３２】
前記内蔵センサからの前記データは、前記特殊効果材料の放出エラーに関するデータを含む、請求項３１に記載の特殊効果システム。
【請求項３３】
前記メンテナンス信号は、前記特殊効果モジュール内の前記特殊効果材料の充填レベルに関する前記内蔵センサからの更新データに基づいて取り消される、請求項３０に記載の特殊効果システム。
【請求項３４】
前記それぞれのメンテナンス信号に応答して前記特殊効果モジュールを自動充填するように構成されたメンテナンスステーションを備える、請求項３０に記載の特殊効果システム。
【発明の詳細な説明】
【技術分野】
【０００１】
〔関連出願との相互参照〕
本出願は、２０１４年８月２６日に出願された「非係留型特殊効果プラットフォーム（Ｕｎｔｅｔｈｅｒｅｄ  Ｓｐｅｃｉａｌ  Ｅｆｆｅｃｔｓ  Ｐｌａｔｆｏｒｍ）」という名称の米国仮特許出願第６２／０４２，１０６号の利益を主張するものであり、この仮特許出願の開示は全ての目的で引用により本明細書に組み入れられる。
【０００２】
本開示は、一般に遊園地の分野に関する。具体的には、本開示の実施形態は、遊園地体験を提供するために利用される方法及び設備に関する。
【背景技術】
【０００３】
遊園地及びその他の娯楽場では、ゲストを乗り物体験又はショー体験に没頭させるのに役立つように特殊効果を使用することができる。従来、これらの投水（water lobs）又は香水砲の爆破（scent cannon blasts）などの特殊効果の場所は、効果の組み立て（effect assembly）を施設又は構造物に帰属させる必要性によって制約されていた。通常、効果の組み立ての場所は、一旦設置すると固定され、変更が困難である。１つの例では、テーマパークが、乗り物又はその他の娯楽オプションに関連するキャラクタパフォーマンス又はライブショーを含むことがある。テーマパークはリピータ客を呼び込むので、このようなショーは、リピータ客であっても継続して楽しめるように頻繁に変更されることが望ましい。しかしながら、効果の組み立てが固定されると、ライブショー及びその対応する特殊効果を修正するテーマパークの能力が制約されてしまう恐れがある。
【発明の概要】
【課題を解決するための手段】
【０００４】
以下、当初の特許請求の範囲の主題と同一範囲のいくつかの実施形態を要約する。これらの実施形態は、本開示の範囲を制限するものではなく、むしろ開示するいくつかの実施形態の概要を示すものにすぎない。実際に、本開示は、以下に示す実施形態と同様の又は異なる様々な形態を含むことができる。
【０００５】
１つの実施形態によれば、特殊効果システムが、地上コントローラと、無人航空機(unmanned aerial vehicle)とを含む。無人航空機は、地上コントローラとの間で信号を送受信するように構成された通信回路と、飛行計画を実行するように構成された車両コントローラとを含む。無人航空機は、無人航空機の少なくとも１つの特殊効果モジュールも含む。無人航空機は、少なくとも１つの特殊効果モジュールの特殊効果モジュールコントローラも含み、この特殊効果モジュールコントローラは、特殊効果モジュールに対し、地上コントローラからの活性化信号(activation  signal)に応答して特殊効果を作動(activate)させるように指示するよう構成される。
【０００６】
別の実施形態によれば、特殊効果システムが、地上コントローラと、複数の無人航空機とを含み、無人航空機は、地上コントローラとの間で信号を送受信するように構成された通信回路と、飛行計画を実行するように構成された車両コントローラと、少なくとも１つの特殊効果モジュールとをそれぞれ含む。特殊効果モジュールは、特殊効果材料と、地上コントローラからの活性化信号に応答して特殊効果材料の放出を引き起こすように構成された特殊効果モジュールコントローラとを含み、無人航空機のそれぞれの飛行計画は、互いに無関係であって、テーマパークショーの実行時間内に実行されるように構成される。地上コントローラは、それぞれの無人航空機に対してそれぞれの活性化信号を生成して、テーマパークショーの実行時間中にそれぞれの特殊効果を作動させるように構成される。
【０００７】
別の実施形態によれば、特殊効果システムが、地上コントローラと、複数の無人航空機とを含み、無人航空機は、地上コントローラとの間で信号を送受信するように構成された通信回路をそれぞれ含む。システムは、飛行計画を実行するように構成された車両コントローラと、少なくとも１つの特殊効果モジュールとをさらに含む。特殊効果モジュールは、特殊効果材料と、地上コントローラからの活性化信号に応答して特殊効果材料の放出を引き起こすように構成された少なくとも１つの特殊効果モジュールコントローラとを含む。地上コントローラは、それぞれの無人航空機を点検のために帰還させるそれぞれのメンテナンス信号を生成するように構成される。
【０００８】
全体を通じて同じ部分を同じ符号によって示す添付図面を参照しながら以下の詳細な説明を読めば、本開示のこれらの及びその他の特徴、態様及び利点がより良く理解されるようになる。
【図面の簡単な説明】
【０００９】
【図１】本技術による、特殊効果車両システムを含むテーマパークの概略図である。
【図２】本技術による、特殊効果車両システムのブロック図である。
【図３】本技術による、特殊効果モジュールのブロック図である。
【図４】本技術による、特殊効果車両システムの使用方法のフロー図である。
【図５】本技術による、特殊効果車両の斜視図である。
【図６】本技術による、特殊効果モジュールを含む特殊効果車両システムのブロック図である。
【図７】本技術による、特殊効果車両システムを含むテーマパークショーの概略図である。
【図８】本技術による、ゲスト制御型特殊効果の概略図である。
【図９】本技術による、ゲスト仲介型特殊効果のための特殊効果車両システムの使用方法のフロー図である。
【図１０】本技術による、遊園地乗り物と共に使用する特殊効果車両の概略図である。
【図１１】本技術による、特殊効果車両システムのメンテナンス方法のフロー図である。
【図１２】係留型特殊効果車両の概略図である。
【発明を実施するための形態】
【００１０】
開示する実施形態では、沼地の上方又は空き地内などのこれまで手の届かなかった領域内に、無人航空機を用いて効果をもたらすことができる。したがって、効果の場所を、アトラクション、ショー、乗り物又はその他の現場全体を通じて経路に沿って移動するようにプログラムすることができる。この経路は、リアルタイムで再プログラム又は提供することができ、これによってあらゆる特殊効果の場所の直接的な変更又は更新が可能になる。したがって、本開示のいくつかの実施形態は、特殊効果を専用の場所から「解放」し、固定施設又は固定構造物に帰属させる必要性を排除する。
【００１１】
本実施形態によれば、マルチコプタなどの無人航空機（ＵＡＶ）が、１又は複数の特殊効果をもたらすように装備を整えて、非係留型特殊効果プラットフォームになる。このようなプラットフォームによってもたらされる特殊効果としては、水効果、香水砲、圧縮空気噴射、蒸気噴射、劇場の煙効果、又は霧効果、雪効果、泡効果、紙吹雪効果、火炎効果、或いは指向性スピーカ及びその他の音響効果を挙げることができる。
【００１２】
１つの実施形態では、この非係留型特殊効果車両をライブショーと組み合わせて使用することができる。特殊効果の配置又は経路は、予め演出しておくことも、又はショーに対応するようにリアルタイムで提供することもできる。すなわち、特殊効果車両の動作を、ショーの最中に作動し、予めプログラムした経路に沿って移動するように引き起こし、これによって手動介入を伴わずに指定の時間及び／又は指定の場所に特殊効果をもたらすことができる。特殊効果プラットフォームは、内蔵コントローラ、非内蔵コントローラ、又はこれらの組み合わせによって制御することができる。同じショー内で複数のプラットフォームを用いて異なる場所で効果をもたらすこともでき、これらのプラットフォームは、コントローラを共有することも、又は集中制御システムの制御下で動作することもできる。
【００１３】
これらの特殊効果車両の実施形態及び関連技術は、従来の特殊効果技術よりも用途が広い。本実施形態は、ＵＡＶ技術を娯楽産業に、特に単なる照明又はプロジェクタではない物理的特殊効果及びアクション型特殊効果機能（例えば、水効果、香水砲、圧縮空気噴射、蒸気噴射、劇場の煙効果、又は霧効果、雪効果、気泡効果、紙吹雪効果、火炎効果をもたらす装置）の提供に利用するものである。上述したように、本実施形態は、これまでアクセスできなかった場所に配置したＵＡＶプラットフォームから、指向性スピーカを用いて指向性の音響又は他のタイプの音響を提供することもできる。また、開示する特殊効果車両は、ライブショー、キャラクタ交流（例えば、テーマパークのゲスト又は他のキャラクタとの非ショー的な交流）、テーマパーク乗り物、或いは他のテーマパーク又は娯楽イベントに関連して使用することもできる。
【００１４】
図１は、テーマパーク１４の設定において動作する特殊効果車両システム１０の概略図である。特殊効果車両１８の集団(fleet)１６は、特殊効果制御システム２０などの地上コントローラの制御下で動作する。このパークは、乗り物、娯楽場、ショッピング又はレストランを含むことができる複数のアトラクション２２を含む。個々の特殊効果車両１８は、特定の特殊効果を促すように、制御システム２０を介してパーク１４全体を通じて様々な場所に展開することができる。集団１６は、１又は２以上のタイプの車両１８を含むことができ、各個々の車両１８は、１又は２以上の特殊効果のために構成することができる。車両１８は、特殊効果制御システム２０と無線で通信して、所望の飛行計画を実行する命令及び／又は特殊効果を引き起こす命令を受け取る。この通信は、いくつかの実施形態ではパーク１４全体にわたって分布することができる１又は２以上の無線タワー２４を通じて仲介することができる。
【００１５】
図２は、特殊効果制御システム２０と個々の特殊効果車両１８との間における、特殊効果の誘発を促す通信相互作用のブロック図である。特殊効果制御システム２０及び個々の特殊効果車両１８の一方又は両方は、アンテナ、無線トランシーバ回路、並びに信号処理ハードウェア及び／又はソフトウェア（例えば、ハードウェア又はソフトウェアフィルタ、Ａ／Ｄコンバータ、マルチプレクサ増幅器）、又はこれらの組み合わせなどの通信回路（例えば、通信回路３４又は３６）を含むことができ、この通信回路は、ＩＲ無線通信、衛星通信、放送無線、マイクロ波無線、Ｂｌｕｅｔｏｏｔｈ（登録商標）、Ｚｉｇｂｅｅ（登録商標）などを介して無線通信経路を通じて通信するように構成することができる。このような通信は、無線タワー２４（図１を参照）などの中間通信装置を含むこともできる。また、特殊効果制御システム２０及び個々の特殊効果車両１８の一方又は両方は、本明細書で説明する方法及び制御動作を実行するためにプロセッサ（例えば、プロセッサ４４又は４６）が実行できる命令を記憶する記憶装置（例えば、記憶装置４０又は４２）を含むこともできる。プロセッサは、１又は２以上の処理装置を含むことができ、メモリは、１又は２以上の有形の非一時的機械可読媒体を含むことができる。一例として、このような機械可読媒体は、所望のプログラムコードを機械実行可能命令又はデータ構造の形で保持又は記憶するために使用できるとともに、プロセッサ又は他のプロセッサベースの装置（例えば、モバイル装置）がアクセスできる、ＲＡＭ、ＲＯＭ、ＥＰＲＯＭ、ＥＥＰＲＯＭ、若しくは光ディスクストレージ、磁気ディスクストレージ又はその他の磁気記憶装置、或いは他のいずれかの媒体を含むことができる。例えば、特殊効果制御システム２０は、コンピュータベースのワークステーション又はモバイル装置などのオペレータインターフェイス５０によるアクセスを受けることができ、及び／又は入力／出力インターフェイス５６及びディスプレイを含むことができる。
【００１６】
特殊効果制御システム２０は、特殊効果車両１８とは別個の１又は複数の装置として実装することができるが、これに加えて、又はこれとは別に、特殊効果制御システム２０の一部として開示するいくつかの機能を特殊効果車両１８内に実装することもできると理解されたい。図示のように、特殊効果車両１８は、車両１８の飛行計画又は飛行経路の実行を制御する車両コントローラ６４を含む。飛行計画は、特殊効果制御システム２０から（例えば、リアルタイムで）通信することも、又は予めプログラムしてメモリ４２に記憶しておくこともできる。さらに、いくつかの実施形態では、オペレータ入力をリアルタイムで実行して飛行計画を作成し、及び／又はそれまでの飛行計画命令をオペレータ入力に書き換えることもできる。車両コントローラ６４は、モータ６６及び特殊効果車両１８の他の飛行要素の動作を、所望の飛行計画を実行するように制御する。１つの実施形態では、特殊効果車両１８が、特殊効果制御システム２０に、特殊効果をいつ誘発すべきかを決定するためのフィードバックとして使用するようにナビゲーション情報又は案内情報を提供することができる。例えば、特殊効果は、特定の地理的位置又はＧＰＳ座標において、或いは特定のランドマーク又はアトラクションに対して誘発することができる。したがって、特殊効果車両１８は、ＧＰＳチップからアクセスされるＧＰＳ情報、無線通信からの三角測量情報、及び／又は特殊効果車両１８上の１又は２以上のカメラ、位置センサ又は近接センサからのフィードバックなどの、位置及び／又は遠隔測定回路６８によって特定される位置情報を使用することができる。位置及び／又は遠隔測定回路６８は、ゲストが特殊効果車両１８に干渉するのを防ぐように車両を特定の境界の外側に維持するためのフィードバックを提供することもできる。特殊効果車両１８は、例えばバッテリ、太陽電池、誘導結合装置などの１又は２以上の電源７２を含むこともできる。開示するように、特殊効果車両１８は、自己充電式電源又は充電式電源などの内蔵電源を用いて、非係留型特殊効果用プラットフォームとして実装することができる。しかしながら、いくつかの実施形態では、特殊効果車両１８をコードによって電源に結合することもできる。
【００１７】
図３は、プロセッサと、命令を記憶するメモリと、特殊効果モジュール７０の機械的要素に結合して制御する回路とを含むことができるコントローラ７４を含む特殊効果モジュール７０の実施形態のブロック図である。特殊効果モジュールは、特殊効果材料７６も含む。特殊効果材料７６は、水、雪、紙吹雪(confetti)、グリッタ(glitter)、煙、泡、香り付き流体(scented fluid)などの無毒な娯楽目的のいずれかの好適な特殊効果材料とすることができる特殊効果材料７６の放出を引き起こすことができるキャニスタ又はケースなどのハウジング７８内に収容することができる。１つの実施形態では、特殊効果材料７６を、一巻きのティッカーテープ、又は放出されるペーパーメッセージのコピーとすることができる。特殊効果材料７６の放出は、特殊効果制御システム２０の仲介によって誘発することができる。例えば、特殊効果制御システム２０（図２を参照）から特殊効果モジュール７０に、特殊効果材料を放出するための活性化信号（例えば、放出信号）を通信することができる。さらに、特殊効果モジュールのコントローラ７４は、放出機構８０を作動させて（例えば、バルブを開いて、ドアを解放して、ファン又はプランジャを作動させて、キャップに穴を開けて）、特殊効果材料７６を所望の場所にばらまくことができる。特殊効果材料７６は、放出機構８０が開くことによって爆発的な放出又は排出が生じるように、例えばハウジング７８と流体連通して取り付けられたＣＯ2カートリッジを介して圧力下で収容することができる。１つの実施形態では、特殊効果材料７６が、モジュール７０内で１回の使用のために構成される。すなわち、例えばバルブの開放、送風機の作動又はシールの穿孔などの放出機構８０の開放によって、全部又はほとんどの材料７６が放出される。放出機構８０は、複数回使用を可能にするように、予め設定した時間後に、またいくつかの実施形態では全部又はほとんどの特殊効果材料７６がばらまかれる前に閉じることもできる。特殊効果モジュール７０は、ハウジング７８内にどれほどの特殊効果材料７６が残っているかに関連するデータをコントローラ７４に提供するセンサ８１又はその他のフィードバック装置を含むこともでき、コントローラ７４は、このデータをさらに地上コントローラに提供することができる。センサ８１は、圧力センサ、光センサ、重量センサなどとすることができる。例えば、光センサは、特殊効果モジュール内の充填レベル情報を提供することができる。光学的測定値の変化により、材料が特定の閾値充填レベルを下回っていることを示すことができる。他の実施形態では、フィードバック装置が、放出ミス（例えば、放出機構８０が正しく開かない不具合、又は放出後に予想される特殊効果材料の充填度の減少を検知できない不具合）に関するデータを提供することができる。このような放出ミスデータは、結果として車両のメンテナンスを引き起こすことができる。
【００１８】
本明細書に示すように、特殊効果車両は、特殊効果と協調する飛行計画を所望の場所で所望の時間に実行するように動作することができる。図４は、特殊効果車両１８の制御方法８２のフロー図である。この方法は、特殊効果制御システム２０（図１を参照）などの地上コントローラを用いてシステム１０によって実行することができる。車両は、飛行計画を実行（ブロック８６）させる信号を地上コントローラから受け取ることができる（ブロック８４）。１つの実施形態では、この飛行計画の実行前に車両に飛行計画が通信される。別の実施形態では、飛行計画が予めプログラムされ、又は車両のメモリに記憶され、受け取る信号は、記憶されている飛行計画を車両に実行させる活性化信号である。別の例では、車両が、メモリに記憶された１又は２以上の飛行計画を有することができ、信号が、特定の飛行計画にアクセスするための選択情報を含むことができる。
【００１９】
いくつかの実施形態では、特定の飛行計画の選択が、車両が有している特殊効果モジュールのタイプに基づくことができる。１つの例では、水効果のために構成されたモジュールを有する特殊効果車両の境界をパークの特定の地理的地域のみに制限することができ、例えばディナー客又は販売員上への排水を防ぐように、レストラン又はショッピングを含まない地域内に境界設定することができる。別の実施形態では、水を運んでいる特殊効果車両を、非ウォーターエリア又は一般乗り物エリアも含む広大なテーマパークのうちのウォーターパークエリア内でしか飛行できないようにすることもできる。別の例では、例えば花又はキャンディなどの特定の香水砲のために構成されたモジュールを有する特殊効果車両の境界を、その匂いと整合するテーマパークの領域に制限することもできる。このような命令は、バンパイア又は宇宙船のテーマを含むパークの領域内に花の匂いが放出されるのを防ぐ。境界制限は、飛行計画命令内にプログラムすることができる。１つの実施形態では、境界制限された領域との間をメンテナンス又は充電のために車両が飛行することはできるが、特殊効果の放出は特定の境界内でしか許可されないようにすることもできる。
【００２０】
動作時には、特殊効果モジュールが車両に識別情報又は仕様情報を提供することにより、地上コントローラ又は車両が、特殊効果モジュールの特性に基づいて特定の飛行計画を通信し、又は特定の飛行計画にアクセスするようにすることができる。車両は、飛行計画の実行に関連して、特殊効果モジュール内の特殊効果材料を放出するための１又は２以上の信号を受け取ることができる（ブロック８８）。１つの実施形態では、飛行計画の特定の部分にタイミングを合わせて放出が行われるように、活性化信号又は放出信号が飛行計画に盛り込まれる。したがって、車両のメモリ内に予め放出信号をプログラムし、車両コントローラによって特殊効果モジュールに提供することもできる。別の実施形態では、放出信号を地上コントローラなどのリモートコントローラから通信することができ、いくつかの実施形態では、放出信号がリアルタイムのオペレータ入力に応答することができる。例えば、オペレータは、ボタンを押して特殊効果材料を放出させることができる。
【００２１】
特定の実施形態では、飛行計画が、所望の特殊効果を高めるための命令を含むこともできる。例えば、煙効果の場合、車両は、あるキャラクタ又はある場所の周囲を旋回して煙の周辺効果をもたらすことができる。煙効果又はその他のガス効果は、特殊効果車両をバンクさせることによって高めることもできる。例えば、効果の一部として又は効果を高めるために、クアッドコプタのプロペラによって煙を特定の方向に向けることができる。このような効果を高めるためのバンキング又は操縦を飛行計画命令に組み込むこともできる。別の実施形態では、特殊効果材料７６の散布場所をさらに狭めるために、放出信号を車両のホバリングに一致させることができる。このような実施形態は、個人の上で放出される紙吹雪又は放水銃に関連して使用することができる。さらに別の実施形態では、特殊効果材料が活発に放出されている間も車両が飛行し続けるように指示することにより、香り付き流体を広範囲にわたって散布することができる。したがって、地上コントローラ又は車両は、所望の効果に依存して、放出信号を適切な飛行計画信号と一致するように協調させることができる。また、放出信号は、位置又は遠隔測定情報からの入力又はフィードバックに依存することもできる。さらに、車両の飛行計画は、特殊効果材料の放出によって乱れることがある安定性又は姿勢変化を考慮するように実装することができる。１つの実施形態では、車両を、材料放出による推力に起因して飛行計画が乱れた場合に所望の飛行計画に戻るように構成することができる。
【００２２】
図５は、特殊効果モジュール７０を含む、ＵＡＶとして実装される特殊効果車両１８の斜視図である。図示の実施形態では、ＵＡＶが、支柱９４によって本体９２に結合された回転翼９０を含む。特殊効果モジュール７０の特殊効果ハウジング７８は、ハーネス９６又はクリップなどのコネクタを介して車両１８に結合され、さらに基部９８によって本体９２に結合される。図示の特殊効果モジュール７０は、ＵＡＶの下側に位置する。しかしながら、他の配向も検討される。
【００２３】
いくつかの実施形態では、車両１８に対する特殊効果モジュール７０の結合及び分離をオペレータが行うことができる。例えば、特殊効果モジュール７０は、オペレータがＵＡＶからコントローラ及びその他の構成要素を取り外して別の特殊効果モジュール７０に置換できるように完全モジュール式とすることができる。別の実施形態では、特殊効果モジュール７０を、コントローラ（例えば、コントローラ７４、図３を参照）が基部９８内に収容されて、ハウジング７８及び関連する放出機構８０の取り外し及び交換が可能な部分的モジュール式とすることができる。オペレータは、ハウジングを基部のねじコネクタにねじ込んで放出機構８０に電気的に接続することができる。また、コントローラは、複数の特殊効果ハウジング７８と協働できる汎用コントローラとすることができる。このようにして、高価な又は壊れやすい処理要素を気にせずに、キャニスタ又はケースなどのハウジング７８の低コスト部分の交換又は補充を行うことができる。
【００２４】
特殊効果車両１８は、指向性スピーカ又は照明などの、いくつかの非消耗型特殊効果増強器を含むこともできる。車両１８に音楽又はその他のオーディオファイルなどのオーディオデータを搭載して記憶し、又は地上コントローラを介して通信することもできる。また、特殊効果車両１８は、モータのノイズを抑えるバッフル、静音プロペラ及び指向性スピーカを含む防音機構を含むこともできる。
【００２５】
図６のブロック図に示す特殊効果車両集団１６は、複数の車両１８（例えば、車両１８ａ及び１８ｂ）を含み、これらの車両１８の各々は、特殊効果制御システム２０に制御される、同じもの又は異なるものとすることができる１又は２以上の特殊効果モジュール７０（例えば、特殊効果モジュール７０ａ、７０ｂ、７０ｃ及び７０ｄ）を含むことができる。各特殊効果車両１８は、１つ、２つ、３つ、４つ又は５つ以上の特殊効果モジュール７０を有することができると考えられる。１つの実施形態では、特殊効果車両１８（例えば、車両１８ａ）が、それぞれが同じタイプの特殊効果材料を含む冗長的な特殊効果モジュール７０を有する。動作中、特殊効果車両１８は、使用毎にモジュール同士を入れ替えて、又は第１のモジュール（例えば、特殊効果モジュール７０ａ）内の特殊効果材料を完全に散布した後で第２のモジュール（例えば、特殊効果モジュール７０ｂ）から散布を行って、複数の使用にわたって特殊効果材料を散布することができる。
【００２６】
別の実施形態では、特殊効果車両１８（例えば、車両１８ａ）が、第１のタイプの第１の特殊効果モジュール（例えば、特殊効果モジュール７０ｃ）と、異なるタイプの第２の特殊効果モジュール（例えば、特殊効果モジュール７０ｄ）とを含むことができる。第１のタイプと第２のタイプは相補的とすることができ、同じ時点又は同じ時間内に放出を行って単一の特殊効果をもたらすように設計することができる。例えば、１つの実施形態では、第１の特殊効果モジュール（例えば、特殊効果モジュール７０ｃ）が、無毒な緑色の粘液材料を含むことができ、第２の特殊効果モジュール（例えば、特殊効果モジュール７０ｄ）が、噴射ノズルを介して散布される水又は清浄液を含むことができる。このようなモジュールタイプは、機内制御を通じて、又は特殊効果制御システム２０からの信号に応答して、第１の時点に所望の位置で第１の特殊効果モジュールから粘液材料を放出し、その後の第２の時点に同じ所望の位置で水又は清浄液を放出するように協働することができる。このようにして、ライブアクションのキャラクタ又はゲストに粘液を浴びせた後に汚れを落とすことができる。１つの実施形態では、第２の又は後続の特殊効果の作動が、遠隔測定装置及びその他のフィードバック装置（例えば、内蔵センサ）に基づいて生成できる、第１の効果が正しく放出された旨の確認信号に依存することができる。このような効果は、所望の順序で放出を行って効果を実現する別個のモジュールをそれぞれが有する複数の車両１８（例えば、車両１８ａ及び１８ｂ）を用いて達成することもできる。このような効果を高めるために、個々の特殊効果車両１８（例えば、車両１８ｂ）上に音響又はカメラモジュールなどのさらなる特殊効果モジュール７０又はその他のモジュールを配置して、適切な活性化信号によって作動させることもできる。１つの実施形態では、特殊効果の標的とするゲストに対する特殊効果材料の放出に（静止画像又は動画像を取り込むための）カメラ活性化信号が関連付けられる。この場合、このカメラデータを記憶し、及び／又は集中コントローラに通信してゲストに散布することができる。
【００２７】
同じ車両１８に搭載された特殊効果モジュール７０は、放出中及び放出後に重量バランスが取れるように選択することもできる。例えば、制御システム２０は、放出信号のタイミングをモジュール間で交互になるように調整して車両１８の重量バランスを取ることができる。別の例では、比較的重い水モジュールを比較的軽い香水砲又は煙モジュールと共に搭載して、総車両重量を最小化しながらさらに複雑な特殊効果を可能にすることができる。
【００２８】
図７に示すように、本明細書に示す特殊効果システムは、１又は２以上の特殊効果車両１８を用いて実装して、ライブショーにおけるゲスト体験を向上させる。図示の実施形態では、沼地又は湖の設定でライブショーが行われており、係留又は固定された装置を用いて特殊効果をサポートする難易度が高い。このような設定は、固定複合照明施設を有する投射スクリーン１０８を含む舞台プラットフォーム１０６を含むことができる。特殊効果車両１８ａは、舞台プラットフォーム１０６に係留されておらず、特殊効果を引き起こすことによって映像を増強することができ、ショーの内容が更新された場合には、投射されるメディアコンテンツの変化と共に特殊効果の時間、タイプ及び場所も変化することができる。別の例では、ライブショーが、ライブキャラクタの俳優及び／又はアニマトロニックフィギュアを呼び物にした舞台プラットフォーム１１０を含むことができる。特殊効果車両１８ｃ及び１８ｄは、ライブ俳優又はアニマトロニックフィギュア１２０と相互作用するようにプログラムすることができる。このようなプログラミングは、生じ得るブロッキング又はタイミングの変化を考慮する動的なものとすることができる。１つの例では、ライブ俳優が特定の時間枠内に特定の舞台位置に達した時点で煙で包むことができる。別の実施形態では、ライブ俳優が、ボタン又はその他の起動装置の作動時に特殊効果車両に放出信号を送信するように構成された無線送信装置を着用することができる。特殊効果の作動は、ショーの技術者によってリアルタイムで開始することもできる。さらに別の実施形態では、アニマトロニックフィギュア１２０が、特殊効果車両１８ｃ又は１８ｄと通信して特定の特殊効果を生じさせるフィードバック装置を含むことができる。このようなライブショーは、タワー又はキャットウォーク１２４などのかなり複雑な大道具(set pieces)を含むこともあり、したがって特殊効果車両１８ｂは、比較的近付きにくい大道具での特殊効果を可能にするように、粒度の細かい位置制御を行うことができる。さらに、このようなショーは、複数の角度から見えるように設計されることが多いので、特殊効果車両１８ｂは、このような大道具の周囲を旋回して、複数の観客の角度から見える周辺効果をもたらすことができる。
【００２９】
舞台又はプラットフォーム又はその付近に効果を配置することに加え、特殊効果車両を用いて観客向けに効果を生じることもできる。特殊効果車両１８ｅ、１８ｆ及び１８ｇには、一般に観客席１３０の位置に存在する飛行経路をプログラムすることができる。ショーの最中には、観客中心の効果のタイミングをイベントと協調するように調整することができる。図示の例では、所望の効果に応じて、特殊効果車両１８の少なくとも一部が異なる特殊効果モジュールを有することができる。別の実施形態では、一群の特殊効果車両１８が、フィナーレ用の又はさらに大規模な特殊効果を同時に放出することができる。例えば、海中をテーマにしたショーのための効果として、観客全体に泡を放出することができる。この放出は、固定気泡発生機に比べてさらに多くの観客が効果を体験できるように、観客上の飛行経路と重なることができる。さらに、飛行車両によって生じる気流が、観客席１３０全体に泡を散布するように作用することもできる。散布効果を高める車両の配向を飛行計画命令に組み込むことができる。
【００３０】
特殊効果車両は、ライブショーをサポートする特殊効果に加え、他のゲスト体験に関連して使用することもできる。図８は、ゲストの制御によって特殊効果を引き起こす概略図である。本明細書に示す技術では、ゲスト１４０が携帯装置１３６などを介して、又はいくつかの実施形態ではゲスト用ウェアラブル装置１４４を介して、特殊効果制御システムに入力を提供することができる。このようなイベントは、ゲームのプレイ又は達成レベルに関連することができる。例えば、ゲスト１４０ａが携帯装置１３６を介して特定のゲームレベルに達した場合、特殊効果制御システムは、同伴者１４０ｂ又は仲間のゲームプレーヤを標的にして、特殊効果車両１８ａによって放出される水の噴霧として示す特殊効果を開始することができる。１つの実施形態では、制御システムに記憶されたグループ又は家族の関連性を通じて同行者又は仲間のゲームプレーヤを識別することができる。例えば、家族の一員は、（例えば、パークの入口において、又は事前登録処理を通じて）自分たちのゲスト用ウェアラブル装置１４４を互いに関連付けることができる。このような関連付けは、グループ（例えば、ゲーム又は体験に登録した友人又は家族グループ又はゲスト）のメンバを互いに特殊効果放出の標的にすることを許可し、グループ外のゲストが標的になるのを防ぐことを含むことができる。携帯装置１３６又はゲスト用ウェアラブル装置１４４によって入力信号が生成されると、特殊効果車両１８は、携帯装置１３６又は特定のゲスト用ウェアラブル装置１４４ｂの位置に標的化され、他のゲストの位置情報を提供する非標的ゲスト用ウェアラブル装置１４４ａ及び１４４ｃからの無線トランシーバ信号に基づいて、このような装置を装着しているゲストから離れることができる。特殊効果制御システムは、特定のゲスト用ウェアラブル装置１４４を装着しているゲスト１４０のみに放出を行う条件を放出信号に関連付け、標的でない他のゲスト用ウェアラブル装置１４４が付近に存在する場合には放出を防止又は禁止することができる。図示の例には、ゲスト１４０ａが仲間１４０ｂを標的にすることを示しているが、個々のゲスト１４０が自分自身を標的にすることもできる。例えば、ゲスト１４０は、冷却ミストの噴霧又は泡の効果を受けたいと望むことができる。携帯装置１３６に、又はゲスト用ウェアラブル装置１４４を介して入力を提供することにより、特殊効果車両１８にゲストの方に移動するように指示が行われる。
【００３１】
携帯装置１３６又はゲスト用ウェアラブル装置１４４は、特殊効果によって強化することができるロールプレーイングゲーム又は他のライブアクション体験の適格なプレーヤを識別することもできる。例えば、あるゲスト１４０のグループが、パーク体験に登録することができる。このようなゲスト１４０には、専用の携帯装置又はウェアラブル装置を配布することができ、或いは他のパーク体験に使用される汎用の携帯装置又はウェアラブル装置に登録情報を関連付けることもできる。特殊効果制御システムは、ランダムな間隔で、或いは所定の時点又は場所において、登録したゲスト１４０に特殊効果を引き起こす命令を実行することができる。したがって、いくつかの実施形態では、特殊効果を特定のゲストに関連付け、さらなるゲスト入力を伴わずに誘発することができる。
【００３２】
１つの実施形態では、携帯装置１３６を、識別コード又はカメラ解像可能な特徴を含む杖とすることができる。携帯装置１３６は、やはり杖の特徴を解像できるカメラ１４６を含むことができる特殊効果車両と相互作用するように構成される。１つの実施形態では、カメラによって解像された携帯装置１３６の動きに基づいて特殊効果を引き起こすことができる。引き起こされる他のタイプの特殊効果は、杖の動きに基づいて異なるタイプの特殊効果が引き起こされる格闘又は決闘体験に基づくことができる。このような体験に関連して使用される特殊効果車両１８は、閃光効果又は爆発効果などの、杖の動きの成功に関連する内蔵特殊効果モジュールと、紙吹雪又は泡の効果などの、杖の動きの失敗に関連する特殊効果モジュールとを有するように実装することができる。
【００３３】
図９は、ゲストによる特殊効果制御を仲介する方法１６０のフロー図である。特殊効果制御システムは、ゲスト装置からのゲスト入力に基づいて信号を受け取る（ブロック１６２）。この入力信号は、新たなレベルの到達、的の命中、パズルの解読又は特定のゲームアイテムの選択などの、ゲストの達成又はゲストのゲームプレイイベントに関連することができる。特殊効果制御システムは、この信号に基づいて、適当な特殊効果モジュールを含む車両を集団から選択する（ブロック１６４）。また、この選択は、ゲストプロファイルに記憶することができるゲスト関連情報に基づくこともできる。例えば、ゲストは、特殊効果又は特殊効果タイプの一部への参加に興味がないことを指定することができる。例えば、誘発される特殊効果が水の噴霧である場合、方法１６０は、ゲストがこのような効果に興味がないという情報にアクセスすることができる。この時、方法は、泡、香り又は紙吹雪などの別の効果タイプを含む特殊効果モジュールを有する特殊効果車両を選択することができる。
【００３４】
他の実施形態では、ゲストが、特定の香り又は材料に対してアレルギーを示すこともあり、したがって、選択される特殊効果車両をこのような情報に基づいて決定することができる。さらに、特定のゲストを、年齢、又はＶＩＰステータスの欠如に基づいて、特殊効果の誘発に不適格とすることもできる。このような例では、方法が、車両を選択せずに終了する。車両の選択は、ゲストに最も近い適当な車両を決定することに基づくこともできる。すなわち、ゲストが水効果を誘発した場合、方法１６０は、ゲストに最も近い水特殊効果モジュールを有している車両を選択する。選択されると、方法１６０は、選択された特殊効果車両に、ゲストに合わせた飛行計画を実行する（ブロック１６６）命令と、ゲストの近くに来た時に特殊効果材料を放出する（ブロック１６８）命令とを与える。近さの判定は、車両ナビゲーション及び近接性フィードバック、並びに無線トランシーバを含むブレスレットなどのゲスト用ウェアラブル装置からのフィードバックに基づくことができる。したがって、飛行計画は、定期的に又はリアルタイムで更新することができる。
【００３５】
特殊効果車両は、乗り物に組み込むこともできる。図１０は、乗り物テーマの一部である空飛ぶ恐竜の外観を含む特殊効果車両１８を実装した、恐竜をテーマとする乗り物の概略図である。１つの実施形態では、例えばウェアラブル装置１４４からの信号を介してゲスト１４０が特殊効果車両の付近に近づいたと判断された時に、火炎効果などの特殊効果が誘発される。複数の特殊効果車両１８を、乗り物の位置の周囲のランダムな又は所定の飛行計画を実行してゲストの没入感を高めるようにプログラムすることができる。また、特殊効果車両１８を乗り物の待ち行列に展開して、乗り物を待っている間のゲストの興味を引くこともできる。１つの実施形態では、特殊効果車両の飛行経路が、ゲストが特殊効果車両１８を追いかけるように経路又は迷路を通じてわずかに前方に留まってゲストを導くように機能することができる。
【００３６】
さらに別の実施形態では、特殊効果車両１８を、限られた範囲内で「ステーション滞在」を行って、見込まれるゲストの相互作用を待つようにプログラムすることができる。例えば、ゲストがショッピングエリア及びレストランエリアを通過する際に、暗い路地に配置された特殊効果車両１８が閃光効果又は煙効果を引き起こすことができる。車両は、ゲストが近づいて特殊効果が誘発された後、次のゲストがやって来るまで、或いは特殊効果モジュールの交換又は点検が必要になるまでステーション滞在飛行計画を再開する。このような特殊効果は、乗り物内で又はテーマパークの他のエリア内で使用することができる。
【００３７】
本明細書に示す特殊効果システムは、パーク全体を通じて様々な場所で誘発できる非係留型特殊効果を通じてさらなるゲスト体験を促すこともできる。このような特殊効果は、補給又は交換前に限られた数の使用のためだけに誘発できる消耗型の特殊効果材料を使用する。図１１は、様々な飛行計画を実行し（ブロック１８２）、特殊効果制御システムの制御下で１又は２以上の特殊効果材料を放出する（ブロック１８４）、娯楽場を通じた特殊効果車両の車両メンテナンス方法１８０のフロー図である。車両は、特殊効果の誘発後に、特殊効果材料の消費に関連するフィードバックを生成する（ブロック１８６）。このフィードバックは、特殊効果モジュールに結合された圧力センサなどのセンサによって生成することができる。この信号が特殊効果材料の枯渇に関連する場合、特殊効果制御システムは、特殊効果車両に信号を送り、特殊効果車両は、信号を受け取ってメンテナンスのために帰還する（ブロック１８８）。このようなメンテナンスは、特殊効果材料の補給又は交換を含むことができる。さらに、このメンテナンスは、メンテナンス場の適切な自動充填ステーションと整列するように個々の車両１８に指示する自動的なものとすることもできる。この自動充填器及び／又は車両１８からのフィードバックが、特殊効果モジュール７０のメンテナンスが完了したこと（例えば、適切な充填レベルの特殊効果材料）を示すと、メンテナンス信号を停止し、及び／又はパーク内のステーションに戻る新たな命令を与えることができる。
【００３８】
これまでに開示した実施形態は、テーマパーク又はその他の娯楽場のための特殊効果プラットフォームを提供する非係留型ＵＡＶの文脈で説明したものである。しかしながら、本実施形態は、係留型ＵＡＶを含むこともできる。例えば、図１２に、ケーブル又は電源コード２０４を介して天井２０２に係留された特殊効果車両１８を含むアトラクション環境２００を示す。コード２０４は、車両１８の電源７２にさらに結合される。このようにして、内蔵電源を伴わずに車両１８を実装することもでき、これによって何らかの重量的な利点をもたらすことができる。他の実施形態では、係留型車両１８が、さらなる内蔵電源を有することもできる。
【００３９】
本明細書では、本発明の実施形態のいくつかの特徴のみを図示し説明したが、当業者には多くの修正及び変更が浮かぶであろう。したがって、添付の特許請求の範囲は、本開示の実際の趣旨に含まれる全てのこのような修正及び変更も対象とすることが意図されていると理解されたい。さらに、開示した実施形態のいくつかの要素は、互いに組み合わせ、又は交換することもできると理解されたい。
【図１】
2019195658.tif 000003
【図２】
2019195658.tif 000004
【図３】
2019195658.tif 000005
【図４】
2019195658.tif 000006
【図５】
2019195658.tif 000007
【図６】
2019195658.tif 000008
【図７】
2019195658.tif 000009
【図８】
2019195658.tif 000010
【図９】
2019195658.tif 000011
【図１０】
2019195658.tif 000012
【図１１】
2019195658.tif 000013
【図１２】
2019195658.tif 000014
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
遊園地の特殊効果システムであって、
地上コントローラと、
無人航空機と、
前記地上コントローラとの間で信号を送受信するように構成された、前記無人航空機の通信回路と、
飛行計画を実行するように構成された、前記無人航空機の車両コントローラと、
前記無人航空機の少なくとも１つの特殊効果モジュールと、
前記少なくとも１つの特殊効果モジュールの放出機構と、
前記少なくとも１つの特殊効果モジュールの特殊効果モジュールコントローラであって、該特殊効果モジュールコントローラは、該少なくとも１つの特殊効果モジュールに対し、前記地上コントローラからの活性化信号に応答して前記放出機構を作動させるように指示するよう構成される、特殊効果モジュールコントローラと、
前記少なくとも１つの特殊効果モジュール内に配置された特殊効果材料であって、前記放出機構は、前記特殊効果モジュールコントローラにより作動したとき、前記少なくとも１つの特殊効果モジュールから前記特殊効果材料を放出するように構成され、該特殊効果材料は放出するときにばらまかれる、特殊効果材料と、を含む、
特殊効果システム。
【請求項２】
前記特殊効果材料は流体を含む、請求項１に記載の特殊効果システム。
【請求項３】
前記特殊効果材料は煙効果流体を含む、請求項２に記載の特殊効果システム。
【請求項４】
前記特殊効果材料は香り付き流体を含む、請求項２に記載の特殊効果システム。
【請求項５】
前記特殊効果材料は水を含む、請求項２に記載の特殊効果システム。
【請求項６】
前記特殊効果材料はグリッタ又は紙吹雪を含む、請求項１に記載の特殊効果システム。
【請求項７】
前記特殊効果材料は紙を含む、請求項１に記載の特殊効果システム。
【請求項８】
前記放出機構は、前記特殊効果モジュールコントローラにより作動したとき、全部又はほとんどの前記特殊効果材料を放出するように構成される、請求項１に記載の特殊効果システム。
【請求項９】
前記特殊効果モジュールコントローラは、前記放出機構が前記特殊効果材料を放出することを止めるように該放出機構を停止するように構成され、前記少なくとも１つの特殊効果モジュールは、全部又はほとんどの前記特殊効果材料が放出される前に該放出機構を停止するように構成される、請求項１に記載の特殊効果システム。
【請求項１０】
前記少なくとも１つの特殊効果モジュールは、前記特殊効果モジュール内の特殊効果材料の量を示すモジュール信号を前記特殊効果モジュールコントローラに出力するように構成されたセンサを含む、請求項１に記載の特殊効果システム。
【請求項１１】
遊園地の特殊効果システムであって、
地上コントローラと、
無人航空機と、
前記地上コントローラとの間で信号を送受信するように構成された、前記無人航空機の通信回路と、
前記地上コントローラからの信号に応答して飛行計画を実行するように構成された、前記無人航空機の車両コントローラと、
前記無人航空機の少なくとも１つの特殊効果モジュールと、
前記少なくとも１つの特殊効果モジュールの放出機構と、
前記少なくとも１つの特殊効果モジュールの特殊効果モジュールコントローラであって、該特殊効果モジュールコントローラは、該少なくとも１つの特殊効果モジュールに対し、前記地上コントローラからの活性化信号に応答して及び前記無人航空機の位置に関する位置フィードバックに応答して前記放出機構を作動させるように指示するよう構成される、特殊効果モジュールコントローラと、
前記少なくとも１つの特殊効果モジュール内に配置された特殊効果材料であって、前記放出機構は、前記特殊効果モジュールコントローラにより作動したとき、前記少なくとも１つの特殊効果モジュールから前記特殊効果材料を放出するように構成され、該特殊効果材料は放出するときにばらまかれる、特殊効果材料と、
を含む、特殊効果システム。
【請求項１２】
前記地上コントローラに前記活性化信号を前記無人航空機に対して送信させるようにするゲスト信号を前記地上コントローラに送信するように構成されたゲスト装置を含む、請求項１１に記載の特殊効果システム。
【請求項１３】
前記地上コントローラは、前記ゲスト装置との近接性に基づいて、無人航空機の集団から前記無人航空機を選択するように構成される、請求項１２に記載の特殊効果システム。
【請求項１４】
前記地上コントローラは、前記ゲスト装置に関連する関連装置との近接性に基づいて、無人航空機の集団から前記無人航空機を選択するように構成され、前記関連装置は、家族又はグループの関連性を通じて前記ゲスト装置に関連付けられる、請求項１２に記載の特殊効果システム。
【請求項１５】
前記ゲスト装置は、前記ゲスト信号を無線で送信するように構成される、請求項１２に記載の特殊効果システム。
【請求項１６】
前記ゲスト装置は、前記ゲスト信号を送信するように構成された無線トランシーバを含むブレスレットである、請求項１２に記載の特殊効果システム。
【請求項１７】
前記少なくとも１つの特殊効果モジュールは、前記無人航空機から離れて配向された、かつ前記特殊効果材料を供給するように構成されたノズル又は噴霧器を含む、請求項１１に記載の特殊効果システム。
【請求項１８】
前記車両コントローラは、前記特殊効果材料の放出中に前記無人航空機を飛行し続けさせる前記飛行計画を実行するように構成される、請求項１１に記載の特殊効果システム。
【請求項１９】
方法であって、
地上コントローラにおいて、ゲストの達成又はゲームプレイイベントに関する情報を含む信号を受信するステップと、
前記信号に基づいてゲスト情報にアクセスするステップと、
前記信号に基づいて、無人飛行機に、前記地上コントローラからの活性化信号に応答して及び前記無人航空機の位置に関する位置フィードバックに応答して前記無人航空機の特殊効果モジュールにゲストの近くに特殊効果材料を散布させるために、飛行計画及び特殊効果活性化信号を送信するステップと、
を含む、方法。
【請求項２０】
前記特殊効果モジュール内の所望の特殊効果材料があることに基づいて無人航空機の集団から前記無人航空機を選択するステップを含む、請求項１９に記載の方法。
【請求項２１】
前記選択するステップは、前記ゲスト情報に基づく、請求項２０に記載の方法。
【請求項２２】
前記ゲスト情報は、前記ゲストの近くに放出されないようにする特殊効果材料を識別する情報を含む、請求項２１に記載の方法。
【請求項２３】
前記選択するステップは、前記ゲストの達成又は前記ゲームプレイイベントに基づき、前記所望の特殊効果材料は、前記ゲストの達成又は前記ゲームプレイイベントに関連する、請求項２０に記載の方法。
【外国語明細書】
2019195658000001.pdf